(57)【要約】【課題】停電が生じた場合に安全にバイパス回路に切替可能な電力供給システムを実現する。【解決手段】電力供給システムは、交流負荷に電力を供給する母線に並列接続した複数の交流出力変換器を備える。各交流出力変換器は、外部交流電圧を直流電圧に変換する交流直流変換器と、直流電圧を交流電圧に変換して母線に供給する直流交流変換器と、直流交流変換器と並列に接続され、直流電圧を蓄電する２次電池と、母線と直流交流変換器との間に設けられた第１の切替回路と、直流交流変換器から供給する交流電圧の代わりに、外部交流電圧を直接的に母線に供給するためのバイパス経路と、母線とバイパス経路との間に設けられた第２の切替回路と、停電時および復電時に第１および第２の切替回路を制御する切替制御回路と、外部交流電圧、直流交流変換器により変換された交流電圧、バイパス経路のバイパス電圧および母線の電圧の供給を受けて切替制御回路の制御電圧を生成するための制御電源回路とを含む。【選択図】図１
2020141511.tif 000002
【特許請求の範囲】
【請求項１】
交流負荷に電力を供給する母線に並列接続した複数の交流出力変換器を備え、
各前記交流出力変換器は、
外部交流電圧を直流電圧に変換する交流直流変換器と、
前記直流電圧を交流電圧に変換して前記母線に供給する直流交流変換器と、
前記直流交流変換器と並列に接続され、前記直流電圧を蓄電する２次電池と、
前記母線と前記直流交流変換器との間に設けられた第１の切替回路と、
前記直流交流変換器から供給する前記交流電圧の代わりに、前記外部交流電圧を直接的に前記母線に供給するためのバイパス経路と、
前記母線と前記バイパス経路との間に設けられた第２の切替回路と、
停電時および復電時に前記第１および第２の切替回路を制御する切替制御回路と、
前記外部交流電圧、前記直流交流変換器により変換された交流電圧、前記バイパス経路のバイパス電圧および前記母線の電圧の供給を受けて前記切替制御回路の制御電圧を生成するための制御電源回路とを含む、電力供給システム。
【請求項２】
各前記交流出力変換器の切替制御回路は、通常時は前記第１の切替回路をオンし、前記第２の切替回路をオフしている、請求項１記載の電力供給システム。
【請求項３】
各前記交流出力変換器の切替制御回路は、他の前記交流出力変換器の切替制御回路と接続され、前記他の前記交流出力変換器から前記交流負荷への電圧の停止信号の入力を受け、全ての前記交流出力変換器について前記交流負荷への電圧の停止信号の入力を受けた場合に、前記第１の切替回路をオフし、前記第２の切替回路をオンする、請求項２記載の電力供給システム。
【発明の詳細な説明】
【技術分野】
【０００１】
本発明は、直流から交流に電力変換を行う交流出力変換器を複数並列に接続し、負荷に電力を供給する電力供給システムに関する。
【背景技術】
【０００２】
直流から交流に電力変換を行う交流出力変換器を複数並列に接続し、負荷に電力を供給する電力供給システムが知られている。
【０００３】
この点で、特開２０１７−５０９３３公報においては、インバータのような交流出力変換器を複数台並列に接続し、共通の負荷に対して並列運転する電力供給システムが開示されている。
【先行技術文献】
【特許文献】
【０００４】
【特許文献１】特開２０１７−５０９３３号公報
【発明の概要】
【発明が解決しようとする課題】
【０００５】
一方で、上記公報における電力供給システムは、それぞれの交流出力変換器から負荷に供給することにより高効率な給電が可能であるが、例えば停電が生じた際には、バイパス回路に切り替える方式となっている。
【０００６】
しかしながら、停電が生じた後、蓄電池から負荷への電力供給能力は、それぞれの交流出力変換器で異なる場合がある。
【０００７】
その場合、一部の交流出力変換器の蓄電池からの給電が継続している場合に、他の交流出力変換器がバイパス回路に切り替えると、逆流してしまう恐れがあるためすべての交流出力変換器の給電が終了した時点でバイパス回路に切り替える必要がある。
【０００８】
しかしながら、一部の交流出力変換器の給電が終了する状態の時まで、他の交流出力変換器の電源が正常に動作しているとは限らず、バイパス回路の切替が難しい状況が生じる可能性がある。
【０００９】
バイパス回路の切替が正常にできていない場合には、復電した場合に正常に電力供給システムが復旧しない可能性がある。
【００１０】
本発明の目的は、上記の課題を解決するためのものであって、停電が生じた場合に安全にバイパス回路に切替可能な電力供給システムを実現する。
【課題を解決するための手段】
【００１１】
本発明のある局面に従う電力供給システムは、交流負荷に電力を供給する母線に並列接続した複数の交流出力変換器を備える。各交流出力変換器は、外部交流電圧を直流電圧に変換する交流直流変換器と、直流電圧を交流電圧に変換して母線に供給する直流交流変換器と、直流交流変換器と並列に接続され、直流電圧を蓄電する２次電池と、母線と直流交流変換器との間に設けられた第１の切替回路と、直流交流変換器から供給する交流電圧の代わりに、外部交流電圧を直接的に母線に供給するためのバイパス経路と、母線とバイパス経路との間に設けられた第２の切替回路と、停電時および復電時に第１および第２の切替回路を制御する切替制御回路と、外部交流電圧、直流交流変換器により変換された交流電圧、バイパス経路のバイパス電圧および母線の電圧の供給を受けて切替制御回路の制御電圧を生成するための制御電源回路とを含む。
【００１２】
好ましくは、各交流出力変換器の切替制御回路は、通常時は第１の切替回路をオンし、第２の切替回路をオフしている。
【００１３】
好ましくは、各交流出力変換器の切替制御回路は、他の交流出力変換器の切替制御回路と接続され、他の交流出力変換器から交流負荷への電圧の停止信号の入力を受け、全ての交流出力変換器について交流負荷への電圧の停止信号の入力を受けた場合に、第１の切替回路をオフし、第２の切替回路をオンする。
【発明の効果】
【００１４】
本発明の電力供給システムは、停電が生じた場合に安全にバイパス回路に切替可能である。
【図面の簡単な説明】
【００１５】
【図１】実施形態に基づく無停電電源システム１の構成を説明する図である。
【図２】実施形態に基づく通常時の無停電電源システム１の電圧供給を説明する図である。
【図３】従来の停電時の無停電電源システム１の電圧供給を説明する図である。
【図４】実施形態に従う停電時の無停電電源システム１の電圧供給を説明する図である。
【発明を実施するための形態】
【００１６】
以下、実施形態について図に基づいて説明する。本例においては、一例として電力供給システムとして、無停電電源システム(以降、ＵＰＳ（Uninterruptible Power Supply）)について説明する。
【００１７】
本実施形態においては、無停電電源システムにおいて、複数の交流出力変換器の並列構成を用いて説明する。
【００１８】
図１は、実施形態に基づく無停電電源システム１の構成を説明する図である。
図１を参照して、無停電電源システム１は、複数（ｎ個）の交流出力変換器１０−１〜１０−ｎを含む。交流出力変換器１０−１〜１０−ｎ（総称して交流出力変換器１０とも称する）は、外部交流電源３Ａおよび外部バイパス交流電源３Ｂと接続されるとともに、共通の負荷２０に対して並列運転する。なお、ｎ個は、特に２個以上であれば供給する負荷に応じて任意の値に設定することが可能である。
【００１９】
以下、各交流出力変換器１０の構成について説明する。
交流出力変換器１０は、外部交流電源３Ａと接続され、外部交流電源３Ａからの交流電圧を直流電圧に変換するコンバータ５と、コンバータ５と接続され、直流電圧を交流電圧に変換するインバータ７と、インバータ７と並列にコンバータ５と接続される蓄電池６とを含む。
【００２０】
交流出力変換器１０は、インバータ７と負荷との間に設けられた切替回路９と、コンバータ５およびインバータ７の供給経路とは別に設けられた外部バイパス交流電源３Ｂからの交流電圧を供給するバイパス経路と、バイパス経路と負荷との間に設けられた切替回路８と、切替回路８，９を制御するコントローラ４（切替制御回路）と、コントローラ４の駆動電圧を生成する制御電源回路２とをさらに含む。
【００２１】
制御電源回路２は、コンバータ５の入力側、インバータ７の出力側、外部バイパス交流電源３Ｂおよび負荷２０と接続される母線と接続され、それぞれの交流電圧を検知するとともに、交流電圧の供給を受けてコントローラ４の駆動電圧を生成する。すなわち、制御電源回路２は、外部交流電源３Ａが停電した場合であっても、インバータ７から供給される交流電圧に基づいて駆動電圧を生成することが可能である。
【００２２】
制御電源回路２は、コンバータ５の入力側およびインバータ７の出力側で検知される交流電圧に従ってコントローラ４に停電あるいはインバータ７からの供給電圧の低下の検知信号を出力する。
【００２３】
外部交流電源３Ａが停電により電力の供給が停止した場合には、蓄電池６から負荷に電力を供給する。
【００２４】
なお、制御電源回路２は、コンバータ５の入力側、インバータ７の出力側、外部バイパス交流電源３Ｂおよび負荷２０と接続される母線と接続されて、必要な駆動電圧を生成する場合について説明するが、図示しないが、コンバータ５の入力側、インバータ７の出力側、外部バイパス交流電源３Ｂおよび負荷２０と接続される母線からそれぞれ供給される電圧レベルは異なるため、電圧を適宜調整して供給するトランス回路が設けられているものとする。
【００２５】
図２は、実施形態に基づく通常時の無停電電源システム１の電圧供給を説明する図である。
【００２６】
図２に示されるように、一例として、２台の交流出力変換器１０−１，１０−２を含む構成について説明する。
【００２７】
外部交流電源３Ａが正常に動作している通常時においては、切替回路９がオンしており、負荷２０とインバータ７とが接続されている状態である。
【００２８】
コンバータ５は、外部交流電源３Ａからの交流電圧を直流電圧に変換する。インバータ７は、コンバータ５と接続され、直流電圧を交流電圧に変換する。また、蓄電池６は、コンバータ５が変換した直流電圧を蓄電する。
【００２９】
インバータ７から切替回路９を介して負荷２０に電力が供給される。
複数の交流出力変換器１０の並列構成であるため、それぞれの交流出力変換器１０から負荷２０に対して必要な電力が供給される。
【００３０】
図３は、従来の停電時の無停電電源システム１の電圧供給を説明する図である。
図３（Ａ）に示されるように、一例として、２台の交流出力変換器１０−１，１０−２を含む構成について説明する。
【００３１】
外部交流電源３Ａが停電した場合について説明する。この場合には、コンバータ５からの電圧供給が低下するため蓄電池６からインバータ７および切替回路９を介して負荷２０に対する電力供給を継続する。この状態の場合には、切替回路８はオフしている。
【００３２】
動作している通常時においては、切替回路９がオンしており、負荷２０とインバータ７とが接続されている状態である。
【００３３】
コンバータ５は、外部交流電源３Ａからの交流電圧を直流電圧に変換する。インバータ７は、コンバータ５と接続され、直流電圧を交流電圧に変換する。また、蓄電池６は、コンバータ５が変換した直流電圧を蓄電する。
【００３４】
インバータ７から切替回路９を介して負荷２０に電力が供給される。
複数の交流出力変換器１０の並列構成であるため、それぞれの交流出力変換器１０から負荷２０に対して必要な電力が供給される。
【００３５】
次に、例えば、交流出力変換器１０−１の蓄電池６と、交流出力変換器１０−２の蓄電池６の供給能力が異なる場合について説明する。
【００３６】
本例においては、交流出力変換器１０−１の蓄電池６の方が、交流出力変換器１０−２の蓄電池６よりも供給能力が大きい場合について説明する。
【００３７】
この場合には、交流出力変換器１０−２の蓄電池６から負荷２０への供給が停止した場合であっても、交流出力変換器１０−１から負荷２０に対する供給を継続する場合には、逆流が生じる恐れがあるため交流出力変換器１０−２の切替回路８をオンすることができない。
【００３８】
したがって、交流出力変換器１０−１から負荷２０に対する供給が終了するまで交流出力変換器１０−２は、切替回路９から切替回路８への切替指令を待機する必要がある。
【００３９】
この待機の期間に、制御電源回路２は、コントローラ４の駆動電圧を確保し続ける必要がある。しかしながら、待機の期間が長い場合には、制御電源回路２は、コントローラ４の駆動電圧を確保し続けるのが難しくなる可能性がある。仮に、制御電源回路２は、コントローラ４の駆動電圧を確保できなくなった場合には、切替回路９から切替回路８への切替指令を出力することができず、切替回路８はオフした状態を維持することになる。
【００４０】
図３（Ｂ）に示されるように、交流出力変換器１０−１の切替回路９がオンしており、交流出力変換器１０−２の切替回路８がオフしている状態において復電が生じた場合が示されている。
【００４１】
この場合には、交流出力変換器１０−１の切替回路８はオンしているため、バイパス経路を介して負荷２０に対して電力が供給される。
【００４２】
一方、交流出力変換器１０−２の切替回路８はオフしているため、バイパス経路を介して負荷２０に対して電力を供給することができない。
【００４３】
したがって、負荷２０に対しては、交流出力変換器１０−１のみが電力を供給する結果となり、過負荷状態となって交流出力変換器１０−１からの供給も停止することになる。
【００４４】
すなわち、従来の無停電電源システムは、正常な復電処理を実行することができない可能性がある。
【００４５】
図４は、実施形態に従う停電時の無停電電源システム１の電圧供給を説明する図である。
【００４６】
図４（Ａ）に示されるように、一例として、２台の交流出力変換器１０−１，１０−２を含む構成について説明する。
【００４７】
外部交流電源３Ａが停電した場合について説明する。
この場合には、コンバータ５からの電圧供給が低下するため蓄電池６からインバータ７および切替回路９を介して負荷２０に対する電力供給を継続する。この状態の場合には、切替回路８はオフしている。
【００４８】
上記したように、例えば、交流出力変換器１０−１の蓄電池６と、交流出力変換器１０−２の蓄電池６の供給能力が異なる場合について説明する。
【００４９】
本例においては、交流出力変換器１０−１の蓄電池６の方が、交流出力変換器１０−２の蓄電池６よりも供給能力が大きい場合について説明する。
【００５０】
上記したように、交流出力変換器１０−２の蓄電池６から負荷２０への供給が停止した場合であっても、交流出力変換器１０−１から負荷２０に対する供給を継続する場合には、逆流が生じる恐れがあるため交流出力変換器１０−２の切替回路８をオンすることができない。
【００５１】
一方で、実施形態に従う制御電源回路２は、コンバータ５の入力側、インバータ７の出力側、外部バイパス交流電源３Ｂ（バイパス経路のバイパス電圧）、および負荷と接続される母線と接続されて、必要な駆動電圧を生成する。
【００５２】
したがって、交流出力変換器１０−２の蓄電池６から負荷２０への供給が停止した場合であっても、交流出力変換器１０−２の制御電源回路２は、例えば、負荷２０と接続される母線からの電圧を受けて、必要な駆動電圧をコントローラ４に供給し続けることが可能である。
【００５３】
最終的に、交流出力変換器１０−１のコントローラ４は、蓄電池６から負荷２０への供給が停止する場合に、交流出力変換器１０−２のコントローラ４にその旨を通知する。
【００５４】
そして、すべての交流出力変換器１０が負荷２０への電圧の供給を停止したことを検知した場合に、各交流出力変換器１０のコントローラ４は、切替回路９をオフし、切替回路８をオンする。
【００５５】
図４（Ｂ）に示されるように、交流出力変換器１０−１，１０−２の切替回路８がオンしている状態において復電が生じた場合が示されている。
【００５６】
この場合には、交流出力変換器１０−１，１０−２の切替回路８はオンしているため、バイパス経路を介して負荷２０に対して電力が供給される。
【００５７】
したがって、負荷２０に対して、交流出力変換器１０−１，１０−２から電力が供給される結果となり、過負荷状態となることを抑制して、復帰処理を正常に実行することが可能である。すなわち、実施形態に従う無停電電源システム１は、正常な復電処理を実行することが可能である。
【００５８】
なお、本例においては、２台の交流出力変換器１０について主に説明したが、特にこれに限られず３台以上でも同様に適用可能である。
【００５９】
なお、本例においては、外部交流電源３Ａと、外部バイパス交流電源３Ｂとがそれぞれ独立に設けられている構成について説明したが、外部バイパス交流電源３Ｂを設けず、バイパス経路についても外部交流電源と接続される構成においても同様に適用可能である。
【００６０】
以上、本発明の実施形態について説明したが、今回開示された実施形態は全ての点で例示であって制限的なものではないと考えられるべきである。本発明の範囲は請求の範囲によって示され、請求の範囲と均等の意味および範囲内での全ての変更が含まれることが意図される。
【符号の説明】
【００６１】
１  無停電電源システム、２  制御電源回路、３  外部交流電源、４  コントローラ、５  コンバータ、６  蓄電池、７  インバータ、８，９  切替回路、１０  交流出力変換器、２０  負荷。
【図１】
2020141511.tif 000003
【図２】
2020141511.tif 000004
【図３】
2020141511.tif 000005
【図４】
2020141511.tif 000006